(57)【要約】【課題】アナログ放送に対応するチャンネルとデジタル放送に対応するチャンネルとが混在してプリセットされている状態において、チャンネルの切り替えに時間がかかっていた。【解決手段】チャンネルアップ・ダウンキーの入力を受付けたとき、アナログ放送のチャンネル群とデジタル放送のチャンネル群のうち、直近において受信していたチャンネル種類にかかるチャンネル群に属するチャンネルを選局対象として切り替えを行い、このチャンネル群に属する全チャンネルについて一通り選局対象とした後に他方のチャンネル群に属するチャンネルを選局対象として切り替えを行うため、アナログ放送のチャンネルとデジタル放送のチャンネルとが混在している場合であっても、全チャンネルを一通り選局するまでの間に、使用するチューナをアナログ用チューナ１２からデジタル用チューナ１３へ、或いはその逆へ切り替える処理を一回行うだけよい。【選択図】  図３
2006253791.tif 000002
【特許請求の範囲】
【請求項１】
アナログ放送信号を受信するための第一チューナ部とデジタル放送信号を受信するための第二チューナ部とを有しアナログ放送信号とデジタル放送信号とのいずれも受信可能であるテレビジョンにおいて、
選局チャンネルの切り替えをチャンネル番号の昇順または降順で行うことを指示するチャンネル切替信号を入力した場合に、アナログ放送信号を受信するチャンネルとデジタル放送信号を受信するチャンネルとが混在してプリセットされておりかつ各チャンネルにて受信する放送信号がアナログ放送信号かデジタル放送信号かを識別するための識別情報を含むプリセット情報を参照することにより、アナログ放送信号を受信するチャンネル群とデジタル放送信号を受信するチャンネル群とのいずれか一方のチャンネル群を選局対象として選局チャンネルの切り替えを行うとともに、当該一方の群に属する全てのチャンネルを対象として切り替えた後に他方のチャンネル群を選局対象として選局チャンネルを切り替える処理を行い、かつ、どちらかのチャンネル群を選局対象としている所定期間内は上記両チューナ部のうち選局対象となっていないチャンネル群の放送信号に対応するチューナ部を駆動停止状態とし、デジタル放送信号を受信するチャンネルからアナログ放送信号を受信するチャンネルへ選局チャンネルを切り替える際にはチャンネル切替信号の入力に応じて順次減少していくデジタル放送信号を受信するチャンネル群における残りチャンネル数が所定数となった時点で第一チューナ部を駆動状態とし、さらにチャンネル切替信号の入力間隔に応じて第一チューナ部を駆動状態とする上記残りチャンネル数を変更することを特徴とするテレビジョン。
【請求項２】
アナログ放送信号を受信するための第一チューナ部とデジタル放送信号を受信するための第二チューナ部とを有しアナログ放送信号とデジタル放送信号とのいずれも受信可能である放送信号受信装置において、
選局チャンネルの切り替えをチャンネル番号の昇順または降順で行うことを指示するチャンネル切替信号を入力した場合に、アナログ放送信号を受信するチャンネルとデジタル放送信号を受信するチャンネルとが混在してプリセットされているプリセット情報を参照し、プリセットされているアナログ放送信号を受信するチャンネル群とデジタル放送信号を受信するチャンネル群とのいずれか一方のチャンネル群を選局対象として選局チャンネルの切り替えを行うとともに、当該一方の群に属する全てのチャンネルを対象として切り替えた後に他方のチャンネル群を選局対象として選局チャンネルを切り替える処理を行い、かつ、どちらかのチャンネル群を選局対象としている所定期間内は上記両チューナ部のうち選局対象となっていないチャンネル群の放送信号に対応するチューナ部を駆動停止状態とすることを特徴とする放送信号受信装置。
【請求項３】
上記プリセット情報は、各チャンネルにて受信する放送信号がアナログ放送信号かデジタル放送信号かを識別するための識別情報を含み、当該識別情報に基づいて選局対象とするチャンネル群を認識して選局チャンネルの切り替えを行うことを特徴とする請求項２に記載の放送信号受信装置。
【請求項４】
デジタル放送信号を受信するチャンネルからアナログ放送信号を受信するチャンネルへと選局チャンネルを切り替える際には、デジタル放送信号を受信するチャンネルを選局している所定のタイミングにおいて、予め上記第一チューナ部を駆動状態にすることを特徴とする請求項２または請求項３に記載の放送信号受信装置。
【請求項５】
上記チャンネル切替信号の入力に応じて順次減少していくデジタル放送信号を受信するチャンネル群における残りチャンネル数が、所定数となった時点で上記第一チューナ部を駆動状態とする場合に、チャンネル切替信号の入力間隔に応じて、第一チューナ部を駆動状態とする上記残りチャンネル数を変更することを特徴とする請求項４に記載の放送信号受信装置。
【請求項６】
選局チャンネルの切り替え動作中に画像表示面に所定の期間だけ無表示画面を出力するとともに、当該期間中に上記チャンネル切替信号の入力が所定回数以上あった場合には画像表示面に選局チャンネルを切り替え中である旨の表示を行うことを特徴とする請求項２〜請求項５のいずれかに記載の放送信号受信装置。
【発明の詳細な説明】
【技術分野】
【０００１】
本発明は、アナログ放送信号とデジタル放送信号とを受信可能なテレビジョンおよび放送信号受信装置に関する。
【背景技術】
【０００２】
従来技術として、チャネルのアップダウンキーで選局するときに、デジタル放送アンテナの接続がある場合には、地上波、ＢＳ、デジタル放送、地上波の順で選局するものが知られている（例えば、特許文献１参照。）。
また、他の従来技術として、リモコンのチャネルアップダウンキーを操作してアナログ放送を受信したときに、他チャネルのデジタル放送を他のチューナで受信する技術が知られている（例えば、特許文献２参照。）。
【特許文献１】特開平１１‐２７５４７５号公報
【特許文献２】特開２００４‐２６６７０４号公報
【発明の開示】
【発明が解決しようとする課題】
【０００３】
上記各文献においては、アナログ用、デジタル用の各チューナをそれぞれに起動させ、各チューナからの出力をそれ以後の回路にて切替えている。すなわち、デジタルとアナログの一方の放送信号を視聴する場合でもチューナ自体はデジタル用とアナログ用との両方が起動しているため、そのとき選局している放送信号の受信には用いない方のチューナが発する信号が映像信号等に対するノイズとなり悪影響を与えるという不都合があった。
【０００４】
また、デジタル受信用のチャンネルとアナログ受信用のチャンネルとが混在してプリセットされた受信機においてチャンネルの切り替えを行う場合、チューナの切り替え動作が何回も行われるためチャンネル切り替えに時間がかかっていた。上記文献１は、デジタル受信用のチャンネルとアナログ受信用のチャンネルとが混在してプリセットされた受信機において選局を行う際の技術ではなく、かかる課題には対応していなかった。
【０００５】
本発明は、上記課題にかんがみてなされたもので、アナログ放送信号を受信するチャンネルとデジタル放送信号を受信するチャンネルとが混在する状況において、チャンネル切り替えに要する時間を短縮し、かつ視聴の際のノイズの発生を適切に抑制することが可能なテレビジョンおよび放送信号受信装置を提供することを目的とする。
【課題を解決するための手段】
【０００６】
上記目的を達成するため請求項２の発明は、アナログ放送信号を受信するための第一チューナ部とデジタル放送信号を受信するための第二チューナ部とを有しアナログ放送信号とデジタル放送信号とのいずれも受信可能である放送信号受信装置において、選局チャンネルの切り替えをチャンネル番号の昇順または降順で行うことを指示するチャンネル切替信号を入力した場合に、アナログ放送信号を受信するチャンネルとデジタル放送信号を受信するチャンネルとが混在してプリセットされているプリセット情報を参照し、プリセットされているアナログ放送信号を受信するチャンネル群とデジタル放送信号を受信するチャンネル群とのいずれか一方のチャンネル群を選局対象として選局チャンネルの切り替えを行うとともに、当該一方の群に属する全てのチャンネルを対象として切り替えた後に他方のチャンネル群を選局対象として選局チャンネルを切り替える処理を行い、かつ、どちらかのチャンネル群を選局対象としている所定期間内は上記両チューナ部のうち選局対象となっていないチャンネル群の放送信号に対応するチューナ部を駆動停止状態とする構成としてある。
【０００７】
上記のように構成した請求項２においては、放送信号受信装置は、選局チャンネルの切り替えをチャンネル番号の昇順または降順で行うことを指示するチャンネル切替信号を入力した場合に以下の処理を実行する。すなわち、上記プリセット情報を参照し、プリセットされているアナログ放送信号を受信するチャンネル群とデジタル放送信号を受信するチャンネル群とのいずれか一方のチャンネル群を選局対象として選局チャンネルの切り替えを行う。例えば、チャンネル切替信号を入力した時点で選局しているチャンネルがあるデジタル放送信号にかかるチャンネルであれば、他のデジタル放送信号を受信するチャンネルのみを選局対象として切り替えを行う。そして、当該一方の群に属する全てのチャンネルを対象として切り替えたら、次に他方のチャンネル群を選局対象として選局チャンネルを切り替える処理を行う。また、かかる処理を実行する際には、どちらかのチャンネル群を選局対象としている所定期間内は上記両チューナ部のうち選局対象となっていないチャンネル群の放送信号に対応するチューナ部を駆動停止状態とする。
【０００８】
つまり、チャンネル切り替えをチャンネル番号の昇順または降順で行うことを指示するチャンネル切替信号を入力した場合であっても、アナログ放送信号にかかるチャンネルからデジタル放送信号にかかるチャンネルへの切り替え、またはその逆の切り替えを、全チャンネルを選局していく過程で一回しか行う必要がない。そのため、上記第一チューナ部と第二チューナ部とを何度も駆動させたり駆動を停止させる必要がなくなり、チャンネルの切り替えに要する時間を大きく短縮できる。また、基本的に第一チューナ部と第二チューナ部とは同時には駆動させないため、そのとき選局している放送信号の受信には使用しないチューナが発する種々の信号によるノイズが視聴対象となっている映像信号に悪影響を与える不都合も防止される。
【０００９】
請求項３の発明は、請求項２に記載の放送信号受信装置において、上記プリセット情報は、各チャンネルにて受信する放送信号がアナログ放送信号かデジタル放送信号かを識別するための識別情報を含み、当該識別情報に基づいて選局対象とするチャンネル群を認識して選局チャンネルの切り替えを行う構成としてある。
【００１０】
上記のように構成した請求項３の発明においては、プリセット情報は、各チャンネルにて受信する放送信号がアナログ放送信号かデジタル放送信号かを識別するための識別情報を含む。そのため、当該識別情報に従ってアナログ放送にかかるチャンネル群またはデジタル放送信号にかかるチャンネル群を選別し、選別したチャンネル群において連続的な選局チャンネルの切り替えを行うことができる。
【００１１】
請求項４の発明は、請求項２または請求項３に記載の放送信号受信装置において、デジタル放送信号を受信するチャンネルからアナログ放送信号を受信するチャンネルへと選局チャンネルを切り替える際には、デジタル放送信号を受信するチャンネルを選局している所定のタイミングにおいて、予め上記第一チューナ部を駆動状態にする構成としてある。
【００１２】
一方のチューナ回路が生じさせるノイズの影響の大きさを考えたとき、デジタル放送信号を受信するための第二チューナ部を駆動させてデジタル放送信号を受信しているときに、アナログ放送信号を受信するための第一チューナ部を立ち上げても、あまり大きなノイズの影響は生じないと言える。そこで、上記のようにデジタル放送信号を受信するチャンネルからアナログ放送信号を受信するチャンネルへと選局チャンネルを切り替える際に、デジタル放送信号を受信するチャンネルを選局している所定のタイミングにおいて、予め上記第一チューナ部を駆動状態にすれば、ノイズの影響が生じない範囲で、よりチャンネル切り替えに要する時間を短縮することができる。
【００１３】
請求項５の発明は、請求項４に記載の放送信号受信装置において、上記チャンネル切替信号の入力に応じて順次減少していくデジタル放送信号を受信するチャンネル群における残りチャンネル数が、所定数となった時点で上記第一チューナ部を駆動状態とする場合に、チャンネル切替信号の入力間隔に応じて、第一チューナ部を駆動状態とする上記残りチャンネル数を変更する構成としてある。
【００１４】
上記のように構成した請求項５の発明では、チャンネル切替信号の入力に応じてデジタル放送信号を受信するチャンネルを順次切り替えていき、当該デジタル放送信号を受信するチャンネル群における残りチャンネル数が所定数となった時点で、いずれアナログ放送信号を受信するチャンネル群が選局対象となることを見越して、予め上記第一チューナ部を駆動状態とする。この場合、チャンネル切替信号の入力間隔はユーザのリモコン操作などのテンポによって異なるため、当該入力間隔に応じて、第一チューナ部を駆動状態にするタイミングとなる上記残りチャンネル数を変更する。その結果、上記入力間隔が短ければ残りチャンネル数がまだ多く残っているタイミングで第一チューナ部を駆動し始めるし、入力間隔が長ければ残りチャンネル数が少なくなってから第一チューナ部を駆動させる。
【００１５】
請求項６の発明は、請求項２〜請求項５のいずれかに記載の放送信号受信装置において、選局チャンネルの切り替え動作中に画像表示面に所定の期間だけ無表示画面を出力するとともに、当該期間中に上記チャンネル切替信号の入力が所定回数以上あった場合には画像表示面に選局チャンネルを切り替え中である旨の表示を行う構成としてある。
【００１６】
選局チャンネルの切り替え動作中には、通常、ミュート画面と呼ばれる黒画面表示などの無表示画面を、画像表示面に所定の期間だけ出力する。しかし、ユーザはかかる期間中にもチャンネル切替信号の入力操作を行う場合があるため、同期間中にチャンネル切替信号の入力が所定回数以上あった場合には選局チャンネルを切り替え中である旨の表示を出力して注意を喚起する。また、チャンネル群自体が切り替わる際の無表示画面においては、デジタルからアナログへ、またはその逆の切り替えが行われている旨を表示してもよい。
【００１７】
以上の構成を踏まえたうえで、請求項１の発明は、アナログ放送信号を受信するための第一チューナ部とデジタル放送信号を受信するための第二チューナ部とを有しアナログ放送信号とデジタル放送信号とのいずれも受信可能であるテレビジョンにおいて、選局チャンネルの切り替えをチャンネル番号の昇順または降順で行うことを指示するチャンネル切替信号を入力した場合に、アナログ放送信号を受信するチャンネルとデジタル放送信号を受信するチャンネルとが混在してプリセットされておりかつ各チャンネルにて受信する放送信号がアナログ放送信号かデジタル放送信号かを識別するための識別情報を含むプリセット情報を参照することにより、アナログ放送信号を受信するチャンネル群とデジタル放送信号を受信するチャンネル群とのいずれか一方のチャンネル群を選局対象として選局チャンネルの切り替えを行うとともに、当該一方の群に属する全てのチャンネルを対象として切り替えた後に他方のチャンネル群を選局対象として選局チャンネルを切り替える処理を行い、かつ、どちらかのチャンネル群を選局対象としている所定期間内は上記両チューナ部のうち選局対象となっていないチャンネル群の放送信号に対応するチューナ部を駆動停止状態とし、デジタル放送信号を受信するチャンネルからアナログ放送信号を受信するチャンネルへ選局チャンネルを切り替える際にはチャンネル切替信号の入力に応じて順次減少していくデジタル放送信号を受信するチャンネル群における残りチャンネル数が所定数となった時点で第一チューナ部を駆動状態とし、さらにチャンネル切替信号の入力間隔に応じて第一チューナ部を駆動状態とする上記残りチャンネル数を変更する構成としてある。
【００１８】
このような、より具体的な構成において上述した請求項２〜５の各発明と同様の作用を奏することは言うまでもない。
また、本発明にかかる技術的思想は、上記処理をコンピュータに実行させるプログラムの発明としても把握できる。
【発明の効果】
【００１９】
以上説明したように本発明によれば、アナログ放送信号にかかるチャンネルとデジタル放送信号にかかるチャンネルとが混在している状況において、選局チャンネルの切り替えをチャンネル番号の昇順または降順で行うことを指示するチャンネル切替信号を入力した場合であっても、全チャンネルについて一通り選局されるまでの間に、アナログ放送信号にかかるチャンネルからデジタル放送信号にかかるチャンネルへの切り替えまたはその逆への切り替えが一度しか行われないため、チャンネル切り替えに要する時間を大幅に短縮でき、ユーザにストレスを与えない。また、第一チューナ部と第二チューナ部との一方が駆動している間は基本的には他方は駆動を禁止されているため、そのとき選局している放送信号の受信には不使用のチューナ回路が発する種々の信号によって視聴対象となっている映像信号にノイズが乗ってしまうことを防止することができる。
【発明を実施するための最良の形態】
【００２０】
（１）テレビジョンの概略構成
図１は、本願発明の実施形態にかかる放送信号受信装置としてのテレビジョンの概略構成を示している。
テレビジョン１００は、テレビジョン放送信号をアンテナ１１ａ，１１ｂで受信し、放送信号を処理して、画像表示面であるディスプレイ２２や、スピーカ２３に出力する。テレビジョン１００は、地上波デジタル放送（ＡＴＳＣ方式）及び従来の地上波アナログ放送（ＮＴＳＣ方式）を受信することができ、上記アンテナ１１ａ，１１ｂの他、アナログ用チューナ１２、デジタル用チューナ１３、デジタル処理部（ＡＴＳＣフロントエンド）１５、アナログ処理部（ＮＴＳＣデコーダ）１６、映像出力部１７、音声出力部１８、マイコン５０を備えている。
【００２１】
同図では、全ての接続態様については表示していないが、マイコン５０は、テレビジョン１００を構成する各部とＩＩＣバス７０を介して接続しており、ＣＰＵ５１が、ＲＯＭ５２やＲＡＭ５３などのメモリに書き込まれた各プログラムやデータに従って、テレビジョン１００全体を制御する。さらに、マイコン５０は、操作パネル５４とリモコンＩ／Ｆ５５とを有しており、同操作パネル５４を介しての入力信号や、リモコンＩ／Ｆ５５を介してなされるリモコンによる入力信号に基づき、テレビジョン１００における種々の処理を制御する。
【００２２】
アナログ放送局やデジタル放送局など複数の放送局から出力された放送信号は、それぞれ異なる周波数の電波であり、アナログ用チューナ１２は、放送されるアナログ放送信号をマイコン５０の制御に応じて受信し、デジタル用チューナ１３は、放送されるデジタル放送信号をマイコン５０の制御に応じて受信する。つまり、マイコン５０は、ユーザによって選局されたチャンネル（選局チャンネル）に対応する周波数帯域の放送信号を受信させるための選局制御情報としての同調電圧をアナログ用チューナ１２またはデジタル用チューナ１３に与え、アナログ用チューナ１２またはデジタル用チューナ１３では、選局制御情報を受けて、受信可能な各放送信号のうち選局チャンネルに対応する周波数帯域の信号と同調をとることによって、所望の放送信号を受信する。
【００２３】
本実施形態では、マイコン５０は、基本的にはアナログ用チューナ１２とデジタル用チューナ１３とを同時に駆動状態とすることはせず、選局チャンネルがデジタル放送を受信するためのチャンネルである場合にはデジタル用チューナ１３を駆動させて所定の選局制御情報を与え、選局チャンネルがアナログ放送を受信するためのチャンネルである場合には、アナログ用チューナ１２を駆動させて所定の選局制御情報を与える。また、駆動禁止状態とは、放送信号の受信や所定の信号増幅処理や中間周波信号の抽出処理といったチューナが持つ機能を実行できない状態にあることをいう。
【００２４】
デジタル用チューナ１３において受信したデジタル放送信号は、デジタル処理部１５へ出力される。一方、アナログ用チューナ１２において受信したアナログ放送信号は、アナログ処理部１６へ出力される。デジタル処理部１５は、デジタル放送信号をデコードして映像出力部１７及び音声出力部１８へ出力する。アナログ処理部１６は、アナログ放送信号をデコードして映像出力部１７及び音声出力部１８へ出力する。
【００２５】
映像出力部１７は、デジタル処理部１５またはアナログ処理部１６から出力された映像信号をディスプレイ２２で再生可能なアナログ信号に変換して、ディスプレイ２２へ出力する。音声出力部１８は、デジタル処理部１５またはアナログ処理部１６から出力された音声信号をスピーカ２３で再生可能なアナログ信号に変換して、スピーカ２３へ出力する。
【００２６】
（２）選局チャンネルの切り替え処理
図２は、マイコン５０が持つプリセットデータ３２ａのデータ構造を模式的に示している。本実施形態においては、プリセットデータ３２ａは、予めＲＯＭ５２に記録されている。
同図に示すように、概略的にはプリセットデータ３２ａは、１〜ｎまでのチャンネルの番号データと各チャンネルに対応する周波数帯域の放送信号をアナログ用チューナ１２またはデジタル用チューナ１３に受信させるための同調電圧との組み合わせによって構成されている。同調電圧は、所定の階調数で表されたデジタルデータとして記録されている。
【００２７】
ここで、本実施形態においては、プリセットデータ３２ａには、デジタル放送信号を受信するチャンネルとアナログ放送信号を受信するチャンネルとが混在して設定されている。そこで、プリセットデータ３２ａにおいては、デジタル放送のチャンネルとアナログ放送のチャンネルとを識別するために、各１〜ｎまでの各チャンネルのうち、デジタル放送信号を受信するためのチャンネルには所定のフラグが記録されている。つまり、同図の例では、チャンネル２，３，５がデジタル放送のチャンネルでありフラグが立てられている。一方、チャンネル１，４，６はアナログ放送のチャンネルであるためフラグは立てられていない。
【００２８】
図３は、マイコン５０が実行する選局チャンネルの切り替え処理の内容をフローチャートにより示している。
先ず、ステップＳ（以下、ステップの記載を省略。）２００において、マイコン５０は、リモコンＩ／Ｆ５５または操作パネル５４を介してチャンネルアップ・ダウンキーからの入力があるか否か判断する。チャンネルアップ・ダウンキーとは、ユーザが使用するリモコン送信機や操作パネル５４に設けられた入力キーであり、各チャンネルを昇順または降順で切り替えるための入力キーである。ユーザはチャンネルアップ・ダウンキーを操作することで、基本的にはチャンネルを昇順、または降順に連続的に切り替えることができる。なお、リモコン送信機や操作パネル５４には、各チャンネルを選局チャンネルとするための各チャンネルに個別に対応した入力キーも設けられているが、本実施実施形態では上記チャンネルアップ・ダウンキーからの入力があった場合にＳ２１０以下の処理を実行する。
【００２９】
Ｓ２１０では、マイコン５０は、それまで直近において選局していたチャンネルの種類を判別する。ここでいうチャンネルの種類とは、デジタル放送のチャンネルかアナログ放送のチャンネルかということであり、かかる種類を上記プリセットデータ３２ａにおけるフラグのオン・オフにより判別する。つまり、チャンネルアップ・ダウンキーの入力があった時点での選局チャンネルに対して、フラグが記録されている場合にはデジタル放送のチャンネルであり、記録されていない場合にはアナログ放送のチャンネルということが判別できる。
【００３０】
Ｓ２２０では、マイコン５０は、上記Ｓ２１０で判別したチャンネル種類と同種のチャンネル群を選局対象として、チャンネルを一つ切り替える処理を行う。つまり、Ｓ２００においてチャンネルアップ・ダウンキーの入力があった時点での選局チャンネルと同種であって、かつ当該選局チャンネルから見て昇順または降順でもっとも近いチャンネルを上記フラグを参照して特定し、その特定したチャンネルを切り替え先の選局チャンネルとする。例えば、選局チャンネルが３ｃｈであるときにチャンネルアップの入力を認識した場合には、マイコン５０は、フラグを参照することにより３ｃｈから見て昇順でもっとも近いデジタル放送のチャンネルである５ｃｈに、選局チャンネルを切り替える。むろん、選局チャンネルを切り替えるとは、切り替え先のチャンネルにかかる選局制御情報を対応するチューナに送信し、同チューナに切り替え先のチャンネルに対応する周波数帯域の放送信号を受信させることを言う。
【００３１】
上述したように、本実施形態では、アナログ用チューナ１２とデジタル用チューナ１３とは、それぞれに対応する種類のチャンネルを受信するときに駆動されるので、上記のようにデジタル放送（またはアナログ放送）のチャンネル群の中だけでチャンネルの切り替えを実行している間は、受信に用いられない側のチューナは駆動停止状態となっている。
【００３２】
Ｓ２３０では、マイコン５０は、さらにチャンネルアップ・ダウンキーからの入力があるか否か判断する。つまり、かかるキー入力が無い間は、Ｓ２２０で切り替えたチャンネルによる受信を継続することになるが、チャンネルアップ・ダウンキーは連続的に操作されることが多いため、かかるキー入力があった場合には、さらに選局チャンネルを切り替えるべく、Ｓ２４０以下の処理に進む。
【００３３】
Ｓ２４０では、同種のチャンネル群に含まれる全チャンネルが切り替え対象となったか否か判断する。ここでいう同種のチャンネル群とは、Ｓ２３０でキー入力を認識した時点でそれまで直近において選局しているチャンネルと同種と言う意味である。上記の例で説明をすると、Ｓ２００で最初にチャンネルアップ・ダウンキーの入力があった際にそれまで選局していたチャンネルが３ｃｈであり、Ｓ２２０において切り替えたチャンネルが５ｃｈであるから、同種のデジタル放送にかかるチャンネル群のうちまだ２ｃｈ等が切り替え対象となっておらず、その結果分岐は“Ｎｏ”となる。この場合、繰り返しＳ２２０において同種のチャンネル群を選局対象としてチャンネルを一つ切り替える処理が行われる。
【００３４】
すなわち、デジタル放送にかかるチャンネル群とアナログ放送にかかるチャンネル群のいずれか一方について、他方のチャンネル群への切り替えを行う前に、その群に属する全チャンネルを選局対象として一通り切り替えを行わない限りは、Ｓ２４０において“Ｙｅｓ”の分岐とはしない。
【００３５】
Ｓ２５０では、他の種類のチャンネル群の中の一つのチャンネルへと選局チャンネルを切り替える。ここでいう他の種類とは、Ｓ２３０でキー入力を認識した時点において選局しているチャンネルとは別の種類と言う意味である。つまり、Ｓ２５０で初めて、デジタル放送のチャンネルからアナログ放送のチャンネルへ、またはその逆への切り替えが行われる。また、かかる切り替えに際して、マイコン５０は、デジタル用チューナ１３とアナログ用チューナ１２のうち、当該切り替え前まで受信していたチャンネルの種類に対応するチューナを駆動停止状態とし、切り替え先のチャンネルの種類に対応するチューナを駆動させる。
【００３６】
Ｓ２５０の後は、Ｓ２３０においてチャンネルアップ・ダウンキーからの入力があるか否か判断し、入力があった場合にはＳ２４０以後の処理を繰り返す。つまり、Ｓ２５０においてチャンネル群が切り替わったので、この切り替わった先のチャンネル群に属する全チャンネルを選局対象として一通り切り替えを行うまで、Ｓ２２０〜Ｓ２４０の処理を繰り返す。このように、上記処理によれば、ユーザがチャンネルアップ・ダウンキーを操作してチャンネルを連続的に切り替えようとすると、アナログ放送のチャンネル群とデジタル放送チャンネル群との一方を対象として一通り切り替えが行われた後に、他方について一通り切り替えが行われる。図３の処理は、テレビジョン１００の主電源が入力状態となっている間は繰り返されるものであり、同主電源がオフにされた場合に同処理も終了する。
【００３７】
なお上記においては、プリセットデータ３２ａに記録されたフラグによって、１〜ｎチャンネルの中にチャンネル番号順とは無関係に混在するデジタル放送のチャンネルとアナログ放送のチャンネルとを識別するとした。しかし、プリセットデータ３２ａからデータを並べ替えてもよい。つまり、最初にチャンネルアップ・ダウンキーの入力を受けるＳ２００の段階にて、アナログ放送のチャンネル群とデジタル放送のチャンネル群とを分別して夫々に別の記憶領域にチャンネル番号データと、それに対応する選局制御情報を記録し直す。このようにすれば、以後、チャンネルアップ・ダウンキーの入力に従って、一方のチャンネル群を対象として選局チャンネルを順次切り替えていき、当該切り替えが一通り終了した所で、他のチャンネル群を対象として選局チャンネルを切り替えることができる。
【００３８】
上記においては、アナログ用チューナ１２とデジタル用チューナ１３の駆動タイミングを、それぞれ対応する種類のチャンネルが選局される場合に限っているが、視聴に際にしてノイズの影響が生じない範囲で、駆動中のチューナとは別のチューナについて、予め起動させておくとしてもよい。
図４は、マイコン５０が実行する選局チャンネルの切り替え処理であって、他の例をフローチャートにより示している。同図においては、Ｓ２６０，２７０の処理が加わる点で図３と異なり、それ以外の処理は図３の説明と同様である。
【００３９】
アナログ用チューナ１２を駆動させてアナログ放送信号を受信しているときにデジタル用チューナ１３を起動させると、同デジタル用チューナ１３が発する高周波などによって受信中の映像にノイズが表れ画質を低下させやすいが、逆に、デジタル用チューナ１３を駆動させてデジタル放送信号を受信しているときにアナログ用チューナ１３を起動させても、ノイズの影響は殆ど生じないということが言える。そこで、マイコン５０は、以下のように、アナログ用チューナ１２については、アナログ放送のチャンネルが選局される前のある程度早い段階で起動させるとした。
【００４０】
マイコン５０は、Ｓ２４０の分岐において“Ｎｏ”と判断した場合、Ｓ２２０に進む前に、Ｓ２６０の判断を行う。Ｓ２６０においては、マイコン５０は、その時点で選局対象としているチャンネル群がデジタル放送のチャンネル群であり、かつ、同チャンネル群の中でまだ切り替えられていないチャンネル数（未切替チャンネル数）が所定数以下であるか判断する。
そして、Ｓ２６０の判断において“Ｙｅｓ”である場合には、マイコン５０はＳ２７０において、アナログ用チューナ１２を起動させる。すなわち、デジタル放送の全チャンネルを選局対象とした一回りのチャンネルの切り替えが終了するある程度前に、早めにアナログ用チューナ１２を起動させることで、アナログ放送のチャンネル群が選局対象となってチャンネルの切り替えが行われるときに、チューナの立上げ期間を省けるため同切り替えにかかる時間を短縮できる。
【００４１】
ここで、アナログ用チューナ１２を起動させるタイミングとなる未切替チャンネル数は固定値としてもよいし、種々の要素に従って変動させるとしてもよい。例えば、マイコン５０は、チャンネルアップ・ダウンキーの入力間隔に応じて、上記未切替チャンネル数の設定を変更することができる。具体的には、デジタル放送のチャンネル群を対象として選局チャンネルが切り替えられている間のチャンネルアップ・ダウンキーの入力間隔の平均時間を計測し、同平均時間が短い場合は上記未切替チャンネル数を多くし、同平均時間が長い場合には未切替チャンネル数を少なくする。
【００４２】
このように、チャンネルアップ・ダウンキーの入力間隔に応じて未切替チャンネル数の設定を変更すれば、ユーザによるキー入力のテンポが遅い場合にあまりにも早くからアナログ用チューナ１２を立ち上げてしまったり、逆にキー入力のテンポが速い場合にアナログ用チューナ１２を立ち上げるタイミングが、アナログ放送のチャンネル群へ選局対象を切り替える時期と殆ど同じになってしまう、ということを防止できる。
なお、上記平均時間は、アナログ放送のチャンネル群からデジタル放送のチャンネル群へと選局対象が変わった際のチャンネルアップ・ダウンキーの入力から数え始めて、最初の数回（例えば、デジタル放送信号を受信するチャンネル数がｎ１（ｎ１＜ｎ）である場合、ｎ１／２回）のキー入力の間隔を計測対象として算出すればよい。
【００４３】
図５は、選局チャンネルの切り替え中におけるディスプレイ２２を示している。
選局チャンネルを替えた場合、それまでと異なる周波数帯域の放送信号を受信したり、用いるチューナをアナログ用からデジタル用（またはその逆）へと切り替えるため、映像信号を安定して出力できるようになるまでの１秒や２秒といったごく短い期間において、ミュート画面と呼ばれる黒画面表示を行う場合がある。かかるミュート画面は、マイコン５０がいわゆるＯＳＤ（on screen display）表示回路を備えることで表示可能である。
【００４４】
ここで、選局チャンネルが切り替えられ上記ミュート画面が出力されている最中においてもユーザがチャンネルアップ・ダウンキーを連続的に操作する場合が考えられる。そこで、マイコン５０は、ＯＳＤ表示回路によってミュート画面を出力している期間中にチャンネルアップ・ダウンキーの入力をある回数以上認識した場合には、選局チャンネルの切り替え中であることを示す所定表示２２ａをディスプレイ２２に表示する。かかる表示もＯＳＤ表示機能によって実現する。また、上記のある回数としては、３回等といった回数が考えられる。このような表示を行うことで、画面が突然真暗となっても、選局チャンネルの切り替え中であることをユーザは認識できる。
【００４５】
また、アナログ放送のチャンネル群とデジタル放送のチャンネル群との間を跨ぐ切り替えの際には、映像出力を安定させるためにミュート画面の出力期間も若干長くする必要があるため、その分、かかるミュート期間中のチャンネルアップ・ダウンキーの連続入力の回数も多くなりがちである。そこで、かかるミュート期間中にチャンネルアップ・ダウンキーの入力がある回数以上あった場合には、アナログ放送とデジタル放送との間での選局チャンネルの切り替え中であることを示す表示を行うとしてもよい。かかる表示を行うことで、ユーザに若干長めにミュート画面が表示されている理由を伝えることができる。
【００４６】
（３）まとめ
このように、本発明によれば、チャンネルアップ・ダウンキーの入力を受付けたとき、アナログ放送のチャンネル群とデジタル放送のチャンネル群のうち、直近において受信していたチャンネル種類にかかるチャンネル群に属するチャンネルを先ず選局対象として切り替えを行い、このチャンネル群に属する全チャンネルについて一通り選局対象とした後に他方のチャンネル群に属するチャンネルを選局対象として切り替えを行う。従って、プリセットデータ３２ａにおいてチャンネル番号順とは無関係にアナログ放送のチャンネルとデジタル放送のチャンネルとが混在している場合であっても、全チャンネルを一通り選局するまでの間に、使用するチューナをアナログ用チューナ１２からデジタル用チューナ１３へ、或いはその逆へ切り替える処理を一回行うだけよい。そのため、チャンネルの切り替えに要する時間が大幅に短縮され、ユーザのストレスも著しく低減される。
【００４７】
また、アナログ用チューナ１２とデジタル用チューナ１３のうち、そのとき選局しているチャンネルの種類に対応していない側のチューナについては基本的に駆動停止状態としているため、両チューナを同時起動させることによって出力中の映像上に生じやすいノイズを抑えることができる。
【図面の簡単な説明】
【００４８】
【図１】本発明の実施形態にかかるテレビジョンの概略構成図。
【図２】プリセットデータの構造を示した説明図。
【図３】選局チャンネル切り替え処理の内容を示したフローチャート。
【図４】選局チャンネル切り替え処理の他の例の内容を示したフローチャート。
【図５】ミュート画面を出力するディスプレイを示した図。
【符号の説明】
【００４９】
１２…アナログ用チューナ
１３…デジタル用チューナ
１５…デジタル処理部
１６…アナログ処理部
１７…映像出力部
１８…音声出力部
２２…ディスプレイ
２２ａ…所定表示
２３…スピーカ
３２ａ…プリセットデータ
５０…マイコン
５１…ＣＰＵ
５２…ＲＯＭ
５３…ＲＡＭ
５４…操作パネル
５５…リモコンＩ／Ｆ
１００…テレビジョン
【図１】
2006253791.tif 000003
【図２】
2006253791.tif 000004
【図３】
2006253791.tif 000005
【図４】
2006253791.tif 000006
【図５】
2006253791.tif 000007